(57)【要約】【課題】コストを低減することが可能な現金管理装置の提供。【解決手段】２カ所の棒金収納凹部６１は、それぞれが、棒金を２本並べて収納する２本収納領域７２と、２本収納領域７２と平行であって棒金を１列に並べて３本収納するとともに棒金配列方向の中央位置を２本収納領域７２と合わせた３本収納領域７１と、を有するとともに、２本収納領域７２と３本収納領域７１との並び順を互いに合わせて並列に配列され、底部６４を、２本収納領域７２および３本収納領域７１のそれぞれの棒金配列方向一側が他側に対し低くなるように水平に対し傾斜させている。【選択図】図４
2017010197.tif 000002
【特許請求の範囲】
【請求項１】
底部と壁部とを有し棒金を前記底部に垂直状をなす姿勢で１カ所に５本収納可能な棒金収納凹部が２カ所並列に配列されており、
これら２カ所の棒金収納凹部は、
それぞれが、
棒金を２本並べて収納する２本収納領域と、
前記２本収納領域と平行であって棒金を１列に並べて３本収納するとともに棒金配列方向の中央位置を前記２本収納領域と合わせた３本収納領域と、を有するとともに、
前記２本収納領域と前記３本収納領域との並び順を互いに合わせて並列に配列され、
前記底部を、前記２本収納領域および前記３本収納領域のそれぞれの棒金配列方向一側が他側に対し低くなるように水平に対し傾斜させていることを特徴とする現金管理装置。
【請求項２】
装置本体と、
前記２カ所の棒金収納凹部を有して、前記装置本体に引き出し可能に設けられる収納庫と、を有し、
前記２カ所の棒金収納凹部は、前記２本収納領域および前記３本収納領域のそれぞれの棒金配列方向を前記引き出しの方向に沿わせていることを特徴とする請求項１記載の現金管理装置。
【請求項３】
装置本体と、
前記２カ所の棒金収納凹部を有して、前記装置本体に引き出し可能に設けられる収納庫と、を有し、
前記２カ所の棒金収納凹部は、前記２本収納領域および前記３本収納領域のそれぞれの棒金配列方向を前記引き出しの方向に直交させていることを特徴とする請求項１記載の現金管理装置。
【請求項４】
装置本体と、
前記２カ所の棒金収納凹部を有して、前記装置本体に引き出し可能に設けられる収納庫と、を有し、
前記２カ所の棒金収納凹部は、それぞれ、前記引き出しの方向の奥側に前記２本収納領域が、手前側に前記３本収納領域が配置されていることを特徴とする請求項３記載の現金管理装置。
【請求項５】
前記棒金収納凹部の底部には、棒金の下端部に係合する係合部が、前記２本収納領域に２カ所、前記３本収納領域に３カ所、それぞれ設けられていることを特徴とする請求項１乃至４のいずれか一項記載の現金管理装置。
【請求項６】
前記係合部には、係合する棒金を検出する棒金検出センサが設けられていることを特徴とする請求項５記載の現金管理装置。
【請求項７】
前記棒金収納凹部は、
前記２本収納領域の棒金配列方向の両外側に該２本収納領域内に中心を有する湾曲壁面を有し、
前記３本収納領域の棒金配列方向の両外側に該３本収納領域内に中心を有する湾曲壁面を有し、
前記２本収納領域および前記３本収納領域の配列方向の両外側に平坦壁面を有することを特徴とする請求項１乃至６のいずれか一項記載の現金管理装置。
【請求項８】
前記２カ所の棒金収納凹部を有する棒金トレイと、前記棒金トレイと共通部品である他の棒金トレイとを有し、前記他の棒金トレイが前記２カ所の棒金収納凹部の前記底部を水平に配置していることを特徴とする請求項１乃至７のいずれか一項記載の現金管理装置。
【発明の詳細な説明】
【技術分野】
【０００１】
本発明は、現金の管理に用いられる現金管理装置に関する。
【背景技術】
【０００２】
現金管理装置本体から引き出し可能に設けられた複数の収納庫に現金を収納し、現金の入出庫を行う現金管理装置がある（例えば特許文献１参照）。この現金管理装置には、複数の収納庫の中に棒金用の収納庫が設けられている。棒金用の収納庫では、１カ所の棒金収納凹部に満杯で棒金を１０本収納する棒金トレイと、１カ所の棒金収納凹部に満杯にできない１０本未満の端数の棒金を収納する棒金トレイとが金種別に用意されている。端数収納用の棒金トレイは、棒金収納凹部の中間位置に棒金の倒れを抑制するための補助棒を有している。
【先行技術文献】
【特許文献】
【０００３】
【特許文献１】特開２０１３−１１８０１６号公報
【発明の概要】
【発明が解決しようとする課題】
【０００４】
上記の現金管理装置において、端数収納用の棒金トレイは、棒金の倒れを抑制するための補助棒を有しているため、コスト高になってしまう。
【０００５】
本発明は、上記の点に鑑みなされたもので、コストを低減することが可能な現金管理装置の提供を目的とする。
【課題を解決するための手段】
【０００６】
上記目的を達成するために、請求項１に係る発明は、底部と壁部とを有し棒金を前記底部に垂直状をなす姿勢で１カ所に５本収納可能な棒金収納凹部が２カ所並列に配列されており、これら２カ所の棒金収納凹部は、それぞれが、棒金を２本並べて収納する２本収納領域と、前記２本収納領域と平行であって棒金を１列に並べて３本収納するとともに棒金配列方向の中央位置を前記２本収納領域と合わせた３本収納領域と、を有するとともに、前記２本収納領域と前記３本収納領域との並び順を互いに合わせて並列に配列され、前記底部を、前記２本収納領域および前記３本収納領域のそれぞれの棒金配列方向一側が他側に対し低くなるように水平に対し傾斜させていることを特徴とする。
【０００７】
請求項２に係る発明は、請求項１に係る発明において、装置本体と、前記２カ所の棒金収納凹部を有して、前記装置本体に引き出し可能に設けられる収納庫と、を有し、前記２カ所の棒金収納凹部は、前記２本収納領域および前記３本収納領域のそれぞれの棒金配列方向を前記引き出しの方向に沿わせていることを特徴とする。
【０００８】
請求項３に係る発明は、請求項１に係る発明において、装置本体と、前記２カ所の棒金収納凹部を有して、前記装置本体に引き出し可能に設けられる収納庫と、を有し、前記２カ所の棒金収納凹部は、前記２本収納領域および前記３本収納領域のそれぞれの棒金配列方向を前記引き出しの方向に直交させていることを特徴とする。
【０００９】
請求項４に係る発明は、請求項１乃至３のいずれか一項に係る発明において、装置本体と、前記２カ所の棒金収納凹部を有して、前記装置本体に引き出し可能に設けられる収納庫と、を有し、前記２カ所の棒金収納凹部は、それぞれ、前記引き出しの方向の奥側に前記２本収納領域が、手前側に前記３本収納領域が配置されていることを特徴とする。
【００１０】
請求項５に係る発明は、請求項１乃至４のいずれか一項に係る発明において、前記棒金収納凹部の底部には、棒金の下端部に係合する係合部が、前記２本収納領域に２カ所、前記３本収納領域に３カ所、それぞれ設けられていることを特徴とする。
【００１１】
請求項６に係る発明は、請求項１乃至５のいずれか一項に係る発明において、前記係合部には、係合する棒金を検出する棒金検出センサが設けられていることを特徴とする。
【００１２】
請求項７に係る発明は、請求項１乃至６のいずれか一項に係る発明において、前記棒金収納凹部は、前記２本収納領域の棒金配列方向の両外側に該２本収納領域内に中心を有する湾曲壁面を有し、前記３本収納領域の棒金配列方向の両外側に該３本収納領域内に中心を有する湾曲壁面を有し、前記２本収納領域および前記３本収納領域の配列方向の両外側に平坦壁面を有することを特徴とする。
【００１３】
請求項８に係る発明は、請求項１乃至７のいずれか一項に係る発明において、前記２カ所の棒金収納凹部を有する棒金トレイと、前記棒金トレイと共通部品である他の棒金トレイとを有し、前記他の棒金トレイが前記２カ所の棒金収納凹部の前記底部を水平に配置していることを特徴とする。
【発明の効果】
【００１４】
請求項１に係る発明によれば、棒金を底部に垂直状をなす姿勢で１カ所に５本収納可能な棒金収納凹部が２カ所並列に配列されている。これら２カ所の棒金収納凹部は、それぞれが、棒金を２本並べて収納する２本収納領域と、２本収納領域と平行であって棒金を１列に並べて３本収納する３本収納領域と、を有するとともに、これら２本収納領域および３本収納領域が棒金配列方向の中央位置を合わせている。そして、２カ所の棒金収納凹部が、底部を、２本収納領域および３本収納領域のそれぞれの棒金配列方向一側が他側に対し低くなるように水平に対し傾斜させている。これにより、底部を水平に対し傾斜させている棒金収納凹部には、満杯に棒金を収納しない端数収納状態でも、棒金が、底部の傾斜の下側に位置する壁部あるいは他の棒金に当接して立てかけられた状態となり、底部の傾斜の上側への倒れが抑制される。よって、棒金収納凹部の中間位置に棒金の倒れを抑制する部品を設けなくても棒金の倒れを抑制することができる。したがって、コストを低減することが可能となる。また、棒金収納凹部に棒金を５本収納する際には、棒金を２本並べて収納する２本収納領域と、２本収納領域と平行であって棒金を１列に並べて３本収納する３本収納領域と、を有するとともに、これら２本収納領域および３本収納領域が棒金配列方向の中央位置を合わせていることから、係員は、両手で５本の棒金を纏めて掴んで出し入れする際の棒金群の形状が掴み易い形状となり、よって、棒金の出し入れ作業が容易化可能となる。
【００１５】
請求項２に係る発明によれば、２カ所の棒金収納凹部は、２本収納領域および３本収納領域のそれぞれの棒金配列方向を、収納庫の引き出しの方向に沿わせている。このため、棒金収納凹部に立てかけられて収納され、立てかけの方向とは反対方向に倒れにくい状態の棒金は、収納庫の引き出しの方向に傾斜することになり、収納庫の引き出しの開始および停止の影響による倒れが抑制される。
【００１６】
請求項３に係る発明によれば、２カ所の棒金収納凹部は、２本収納領域および３本収納領域のそれぞれの棒金配列方向を、収納庫の引き出しの方向に対し直交させている。このため、２カ所の棒金収納凹部のうちの一方を、棒金を５本収納する満杯収納用として使用する際に、係員が両手で５本の棒金を纏めて掴んで出し入れする際の棒金群の形状が掴み易い形状となり、よって、棒金の出し入れ作業が容易化可能となる。
【００１７】
請求項４に係る発明によれば、２カ所の棒金収納凹部は、それぞれ、収納庫の引き出しの方向の奥側に２本収納領域が、手前側に３本収納領域が配置されている。このため、２カ所の棒金収納凹部のうちの一方を、棒金を５本収納する満杯収納用として使用する際に、係員が両手で５本の棒金を纏めて掴んで出し入れする際の棒金群の形状がさらに掴み易い形状となり、よって、棒金の出し入れ作業がさらに容易化可能となる。
【００１８】
請求項５に係る発明によれば、棒金収納凹部の底部に、棒金の下端部に係合する係合部が、２本収納領域に２カ所、３本収納領域に３カ所、それぞれ設けられているため、棒金の下端部を係合部に係合させることで、収納庫の引き出し時および押し込み時に、収納状態にある棒金のガタツキを抑制することができる。
【００１９】
請求項６に係る発明によれば、係合部に係合された棒金を棒金検出センサで検出することができる。よって、棒金の収納数を計数することができる。
【００２０】
請求項７に係る発明によれば、棒金収納凹部が、２本収納領域および３本収納領域のそれぞれの棒金配列方向の両外側に湾曲壁面を有する形状をなしているため、これら湾曲壁面で四隅の棒金を案内することができる。よって、５本の棒金を纏めて挿入する際には、正確に棒金収納凹部に挿入することが可能となる。
【００２１】
請求項８に係る発明によれば、底部を水平に対し傾斜させる２カ所の棒金収納凹部を有する端数収納用の棒金トレイと共通部品である他の棒金トレイを底部を水平に配置して満杯収納用として使用する。したがって、部品の共用化が図れることになり、さらにコストを低減することが可能になる。満杯収納用として使用される他の棒金トレイの２カ所の棒金収納凹部は、それぞれが、棒金を２本並べて収納する２本収納領域と、２本収納領域と平行であって棒金を１列に並べて３本収納する３本収納領域と、を有するとともに、これら２本収納領域および３本収納領域が棒金配列方向の中央位置を合わせていることから、係員は、両手で５本の棒金を纏めて掴んで出し入れする作業を２回行うことで、棒金を１０本出し入れすることができる。したがって、作業効率の低下を抑制しつつ棒金の出し入れ作業を容易化可能となる。しかも、２カ所の棒金収納凹部は、２本収納領域と３本収納領域との並び順を互いに合わせて並列に配列されている。このため、２カ所の棒金収納凹部に対して、それぞれ５本の棒金を纏めて掴んで出し入れする際の棒金群の形状を合わせることができる。よって、棒金の出し入れ作業がさらに容易化可能となる。
【図面の簡単な説明】
【００２２】
【図１】本発明の第１実施形態に係る現金管理装置を示す斜視図である。
【図２】本発明の第１実施形態に係る現金管理装置を示す要部の制御系ブロック図である。
【図３】本発明の第１実施形態に係る現金管理装置の棒金収納庫を示す部分側断面図である。
【図４】本発明の第１実施形態に係る現金管理装置の棒金トレイを示す斜視図である。
【図５】本発明の第１実施形態に係る現金管理装置の棒金トレイを示す平面図である。
【図６】本発明の第２実施形態に係る現金管理装置の棒金収納庫を示す部分側断面図である。
【図７】本発明の第３実施形態に係る現金管理装置の棒金収納庫を示す正断面図である。
【発明を実施するための形態】
【００２３】
本発明の第１実施形態に係る現金管理装置を図１〜図５を参照して以下に説明する。
【００２４】
図１に示す第１実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００２５】
現金管理装置１０は、箱型の装置本体１１と、この装置本体１１に上下方向に複数段具体的には８段設けられた収納庫１２とを有している。これら収納庫１２は、その左右側壁に設けられたスライドレール１３を介して装置本体１１に対して水平方向に沿って引き出し可能となっている。これら収納庫１２は、現金管理装置１０の前方に引き出されることで内部にアクセス可能となるように開かれ、現金管理装置１０の後方に押し込まれると内部にアクセス不可となるように閉じられる。このように前後方向にのみ所定範囲でスライド可能となるように、各収納庫１２は装置本体１１に連結されている。以下の前および後は、現金管理装置１０の前および後であり、収納庫１２の引き出し方向の前および後と一致する。
【００２６】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００２７】
装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２８】
装置本体１１には、複数の収納庫１２のそれぞれに対して、収納庫１２を閉状態で個別にロックする図２に示す電磁式のロック機構２２が設けられており、図１に示す複数の収納庫１２のそれぞれの側方に、ロック機構２２のロック解除時のみ点灯する表示灯２３が設けられている。さらに、装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２９】
収納庫１２は、図１に示すように取っ手３０が中央に設けられた前板部３１と、前板部３１の左右両側から図３に示すように後方に延出する一対（図３において一方のみ図示）の側板部３２と、一対の側板部３２の後端部同士を連結する図示略の後板部と、これらで囲まれる空間部分の下部開口を閉塞する底板部３３とを有する枠体３４を有している。この枠体３４は、図１に示す小束収納庫１２（Ｂ）と棒金収納庫１２（Ｃ）とで共通となっている。枠体３４は、一対の側板部３２がスライドレール１３の一側に連結されており、スライドレール１３の他側が装置本体１１に連結されていて、これにより装置本体１１に対して引き出し可能となっている。
【００３０】
図３に示すように、棒金収納庫１２（Ｃ）は、棒金Ｂを入出庫可能に収納するものである。棒金収納庫１２（Ｃ）は、枠体３４に取り付けられて固定される支持ベース４０と、棒金Ｂを収納可能であって支持ベース４０に取り付けられて固定される複数の合成樹脂製の棒金トレイ５０とを有している。なお、一つの棒金収納庫１２（Ｃ）に対し、前後に１列状に複数の棒金トレイ５０が設けられており、図示は略すが、このような列が左右に複数列設けられている。例えば、一つの棒金収納庫１２（Ｃ）に、前後に金種径に応じて６つまたは５つ、左右に４列の棒金トレイ５０が設けられている。
【００３１】
ここで、各棒金トレイ５０は、それぞれ予め設定された単一の収納対象金種の棒金Ｂのみが収納されるように決められている。また、左右方向における同列に配置されて前後に１列に並ぶ複数の棒金トレイ５０は、全て収納対象金種が同一金種となっている。例えば、図１に示す３段の棒金収納庫１２（Ｃ）のうちの最も上段の棒金収納庫１２（Ｃ）は、最も左側および左から２番目の２列の棒金トレイ５０が共に１円棒金収納用、最も右側および右から２番目の２列の棒金トレイ５０が共に５円棒金収納用となっている。また、３段の棒金収納庫１２（Ｃ）のうちの上から２段目の棒金収納庫１２（Ｃ）は、最も左側および左から２番目の２列の棒金トレイ５０が共に１０円棒金収納用、最も右側および右から２番目の２列の棒金トレイ５０が共に５０円棒金収納用となっている。また、３段の棒金収納庫１２（Ｃ）のうちの最下段の棒金収納庫１２（Ｃ）は、最も左側および左から２番目の２列の棒金トレイ５０が共に１００円棒金収納用、最も右側および右から２番目の２列の棒金トレイ５０が共に５００円棒金収納用となっている。勿論、各棒金収納庫１２（Ｃ）への収納金種は任意に設定可能であり、頻繁に出庫が行われる金種（１円棒金、１０円棒金および１００円棒金）を一つの棒金収納庫１２（Ｃ）に纏めて収納するようにしても良い。また、左右方向における同列に配置されて前後に１列に並ぶ複数の棒金トレイ５０は、必ずしも全て収納対象金種が同一金種となっていなくても良い。
【００３２】
図３に示すように、棒金Ｂは、単一金種の硬貨Ｃを所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。棒金Ｂには、包装紙の余長部分を加締めた加締部Ｋが軸方向両端部に形成されている。加締部Ｋは、棒金Ｂの外径と略同径で棒金Ｂの中心軸を中心とする円環状をなして棒金Ｂの軸方向両側に所定長さ突出している。
【００３３】
図４に示すように、棒金トレイ５０は、正方形の平板状をなす基板部６０と、基板部６０の内側範囲に設けられて下方に凹む上方開口形状をなす２カ所の同形状の棒金収納凹部６１とを有している。１つの棒金トレイ５０に、同形状の棒金収納凹部６１が２カ所設けられており、これら一対の棒金収納凹部６１は、基板部６０の中間部に、互いに隣接して並列に形成されている。一対の棒金収納凹部６１は、基板部６０の平行をなす一対の辺部に沿って並べられている。棒金トレイ５０は、これらの棒金収納凹部６１にその上端開口部を介して上方から棒金Ｂが挿入されることになり、これらの棒金収納凹部６１は、このように挿入された棒金Ｂを図３に示すように上方に一部突出させて収納する。
【００３４】
一対の棒金収納凹部６１は、それぞれが、基板部６０に対し垂直方向に沿う壁部６３と、基板部６０に平行をなして壁部６３の下部を閉塞する底部６４とを有している。壁部６３は、基板部６０よりも下方向に延出しており、よって、底部６４は基板部６０よりも下方に位置している。基板部６０の上面には、一の角部の近傍に、収納対象の金種を目視可能に明示する金種明示部６５が設けられている。図４，図５は１０円棒金用の棒金トレイ５０を例示しており、金種明示部６５に１０円棒金が収納対象であることを示す「１０」の数字が明示されている。
【００３５】
図５に示すように、一対の棒金収納凹部６１のうちの金種明示部６５から遠い側の棒金収納凹部６１の壁部６３は、図５における左側に、円筒を一部切り取った形状の２カ所の湾曲壁面６２ａが金種明示部６５から遠い側のものが金種明示部６５に近い側のものよりも図５における左側に位置するように連設されており、図５における右側に、円筒を一部切り取った形状の２カ所の湾曲壁面６２ａが金種明示部６５から遠い側のものが金種明示部６５に近い側のものよりも図５における右側に位置するように連設されている。金種明示部６５から遠い側の棒金収納凹部６１は、金種明示部６５から遠い側の図５における左右２カ所の湾曲壁面６２ａが対向し、これらの間隔が、金種明示部６５に近い側で対向する図５における左右２カ所の湾曲壁面６２ａ同士の間隔よりも広くなっている。
【００３６】
金種明示部６５から遠い側の棒金収納凹部６１の壁部６３は、金種明示部６５から遠い側の図５における左右の湾曲壁面６２ａを結ぶ平坦壁面６２ｂと、金種明示部６５に近い側の図５における左右の湾曲壁面６２ａを結ぶ、平坦壁面６２ｂよりも長さが短い平坦壁面６２ｃとを有している。
【００３７】
金種明示部６５から遠い側の棒金収納凹部６１に設けられた４カ所の湾曲壁面６２ａは、いずれも湾曲の中心をそれぞれが設けられた棒金収納凹部６１の内側に配置している。金種明示部６５から遠い側の棒金収納凹部６１に設けられた平坦壁面６２ｂおよび平坦壁面６２ｃは互いに平行をなしている。棒金収納凹部６１に設けられた４カ所の湾曲壁面６２ａと２カ所の平坦壁面６２ｂ，６２ｃとが、閉状に連続する囲壁面６２を構成している。
【００３８】
金種明示部６５に近い側の棒金収納凹部６１も、金種明示部６５から遠い側の棒金収納凹部６１と同様の形状をなしており、金種明示部６５から遠い側の棒金収納凹部６１と図５における左右方向の位置を合わせて、金種明示部６５から遠い側の棒金収納凹部６１に平行に配置されている。
【００３９】
同じ１つの棒金トレイ５０に形成された２カ所の棒金収納凹部６１には、予め設定された単一の収納対象金種の棒金Ｂのみが収納されることになり、湾曲壁面６２ａの径は、収納対象金種の棒金Ｂの外径よりも若干大径となっている。
【００４０】
１つの棒金トレイ５０に設けられた一対の棒金収納凹部６１は、それぞれ、金種明示部６５から遠い側の互いに対向する間隔が広い一対の湾曲壁面６２ａの間に、これらを結ぶ方向に並んで３カ所の１本収納領域６７が１列状に設けられている。よって、金種明示部６５から遠い側の間隔が広い一対の湾曲壁面６２ａの間は、棒金Ｂを同時に３本、互いに平行をなすように１列に並べて収納可能な３本収納領域７１となっている。
【００４１】
また、１つの棒金トレイ５０に設けられた一対の棒金収納凹部６１は、それぞれ、金種明示部６５に近い側の互いに対向する間隔が狭い一対の湾曲壁面６２ａの間に、これらを結ぶ方向に並んで２カ所の１本収納領域６７が設けられている。よって、金種明示部６５に近い側の間隔が狭い一対の湾曲壁面６２ａの間は、棒金Ｂを同時に２本、互いに平行をなすように並べて収納可能な２本収納領域７２となっている。１つの棒金トレイ５０の２カ所の棒金収納凹部６１は、３本収納領域７１と２本収納領域７２との並び順を互いに合わせて並列に配列されている。
【００４２】
１つの棒金トレイ５０に設けられた一対の棒金収納凹部６１は、それぞれ、棒金Ｂを満杯状態で５本収納する。つまり、１つの棒金トレイ５０には、棒金Ｂを立位状態で１カ所に５本収納可能であって下方に凹む上方開口形状の棒金収納凹部６１が２カ所設けられており、これら２カ所の棒金収納凹部６１に、棒金Ｂが立位状態で所定の複数本である１０本収納可能となっている。
【００４３】
１つの棒金トレイ５０に設けられた一対の棒金収納凹部６１は、それぞれ、同一の棒金収納凹部６１に設けられた３本収納領域７１と２本収納領域７２とが互いに平行をなして隣接しており、それぞれの棒金配列方向の中央位置を合わせている。その結果、同一の棒金収納凹部６１に設けられた３本収納領域７１と２本収納領域７２とは、両方の中央位置を通り基板部６０に直交する面を基準に鏡面対称の形状をなしている。
【００４４】
１つの棒金トレイ５０に設けられた一対の棒金収納凹部６１は、互いに平行をなしており、両方の３本収納領域７１および両方の２本収納領域７２の棒金配列方向の中央位置を合わせている。その結果、１つの棒金トレイ５０に設けられた一対の棒金収納凹部６１は、両方の３本収納領域７１と両方の２本収納領域７２との中央位置を通り基板部６０に直交する面を基準に鏡面対称の形状をなしている。
【００４５】
隣接する３本収納領域７１と２本収納領域７２とを有する棒金収納凹部６１は、棒金ＢをＭ字状に収納する。棒金収納凹部６１は、３本収納領域７１の棒金配列方向の両外側に３本収納領域７１内に中心を有する湾曲壁面６２ａを有しており、２本収納領域７２の棒金配列方向の両外側に２本収納領域７２内に中心を有する湾曲壁面６２ａを有していて、３本収納領域７１および２本収納領域７２の配列方向の両外側に平坦壁面６２ｂ，６２ｃを有している。
【００４６】
同一の棒金収納凹部６１に設けられた３本収納領域７１および２本収納領域７２において、３本収納領域７１に収納された棒金Ｂに対して、２本収納領域７２に収納された棒金Ｂは、棒金Ｂの半径分だけ図５における左右方向にずれることになる。棒金Ｂは、棒金収納凹部６１に、その上部開口を介して上方から挿入されることになり、棒金収納凹部６１に満杯に収納された状態では、棒金収納凹部６１の壁部６３および他の棒金Ｂで支持されて、底部６４に垂直状をなす姿勢に維持される。
【００４７】
底部６４の各棒金Ｂの収納位置、つまり各１本収納領域６７の底位置には、図４に示すように、底部６４の最深面７８から上方に突出して係合部８０が設けられている。係合部８０は、平面視円形の短柱状をなしており、その上面８１が底部６４の最深面７８と平行となっている。係合部８０は、図３に示すように、棒金Ｂの下端の硬貨部分から軸方向外側に突出する包装紙の円形状の加締部Ｋの内側に嵌合する。係合部８０は、全ての１本収納領域６７のそれぞれ底位置中央に設けられている。係合部８０は、図５に示すように、各湾曲壁面６２ａの各内側位置に湾曲壁面６２ａと同じ４カ所形成され、さらに、３本収納領域７１を形成する湾曲壁面６２ａ間の中央の１カ所に形成されている。つまり、棒金収納凹部６１の底部６４には、３本収納領域７１の底部を構成する部分に３カ所、２本収納領域７２の底部を構成する部分に２カ所、係合部８０がそれぞれ設けられている。係合部８０は、これが配置された１本収納領域６７に挿入された棒金Ｂの下端部の加締部Ｋの内側に嵌合する。
【００４８】
係合部８０には、係合する棒金Ｂの有無および金種を検出する磁気センサ等の棒金検出センサ８２が設けられており、このような棒金検出センサ８２が、すべての係合部８０に個別に設けられている。
【００４９】
１つの棒金収納庫１２（Ｃ）に左右方向における同列に配置されて前後に並んで設けられる棒金トレイ５０は、例えば、全て収納対象金種が同一金種となっている。棒金収納庫１２（Ｃ）のすべての列の最も前側の棒金トレイ５０は、収納本数が不足した状態でも棒金Ｂを倒さずに収納可能な端数収納用となっている。また、棒金収納庫１２（Ｃ）のすべての列の最も前側を除く棒金トレイ５０は、収納本数が不足した状態では棒金Ｂが倒れてしまうため満杯状態で収納することが決められた満杯収納用となっている。つまり、棒金収納庫１２（Ｃ）のすべての列の最も前側を除く棒金トレイ５０の棒金収納凹部６１には、棒金Ｂを収納する場合、必ず棒金Ｂを満杯状態つまり５本収納し、棒金Ｂを満杯状態以外で収納する場合には、最も前側の棒金トレイ５０に収納することがルール化されている。よって、操作者である係員は、最も前側の棒金トレイ５０から棒金Ｂを必要数だけ取り出し、最も前側の棒金トレイ５０が空になり、その後側の棒金トレイ５０から棒金Ｂを取り出す場合には、この後側の棒金トレイ５０の残りの端数の棒金Ｂを、最も前側の棒金トレイ５０に移載するようになっている。
【００５０】
ここで、収納対象金種が同一金種である場合、形状および材質が同じ共通部品の棒金トレイ５０が端数収納用と満杯収納用とに共用されている。つまり、図３に示すように、最も前側の端数収納用の棒金トレイ５０は、その底部６４を水平に対し傾斜させて支持ベース４０に取り付けられることで収納本数が不足した状態でも棒金Ｂを倒さずに収納可能となっている。また、他の満杯収納用の棒金トレイ５０は、その底部６４を水平に配置して支持ベース４０に取り付けられることで収納本数が不足した状態では収納している棒金Ｂが倒れてしまうように収納する。言い換えれば、収納対象金種が同一金種である場合、底部６４を水平に対し傾斜させている棒金収納凹部６１を有する棒金トレイ５０と、底部６４を水平に配置している棒金収納凹部６１を有する棒金トレイ５０とが、共通部品になっている。
【００５１】
支持ベース４０は、各列の最も前側の端数収納用の棒金トレイ５０を支持する傾斜支持部１０１が、前後方向から見て水平に対し傾斜しない状態で、後下がりに傾斜しており、この傾斜支持部１０１に棒金トレイ５０の基板部６０が固定されている。その際に、図４，図５に示す一対の棒金収納凹部６１の配列方向が左右方向となる姿勢で、棒金トレイ５０が傾斜支持部１０１に取り付けられている。ここで、図３では、このような姿勢で傾斜支持部１０１に取り付けられる端数収納用の棒金トレイ５０の図５のＸ−Ｘ断面を示している。
【００５２】
上記の姿勢で傾斜支持部１０１に取り付けられる棒金トレイ５０の一対の棒金収納凹部６１は、２本収納領域７２および３本収納領域７１のそれぞれの棒金配列方向一側が他側に対し低くなるように底部６４を水平に対し傾斜させている。すべての列の最も前側の棒金トレイ５０の一対の棒金収納凹部６１は、それぞれ、２本収納領域７２が３本収納領域７１の例えば左側（操作者から見て左側）に位置するように配置されている。その結果、端数収納用の１つの棒金トレイ５０の左右２カ所の棒金収納凹部６１は、３本収納領域７１と２本収納領域７２との並び順を互いに合わせて並列に配列されている。
【００５３】
言い換えれば、最も前側の端数収納用の棒金トレイ５０の２カ所の棒金収納凹部６１のそれぞれの３本収納領域７１および２本収納領域７２は、前後方向つまり収納庫１２の装置本体１１からの引き出し方向に沿って延在している。さらに言い換えれば、端数収納用の棒金トレイ５０の２カ所の棒金収納凹部６１は、３本収納領域７１および２本収納領域７２のそれぞれの棒金配列方向を、前後方向つまり収納庫１２の装置本体１１からの引き出し方向に沿わせている。
【００５４】
傾斜支持部１０１に取り付けられた状態の端数収納用の棒金トレイ５０の棒金収納凹部６１は、その底部６４が、前後方向から見て水平に対し傾斜しない状態で、棒金収納庫１２（Ｃ）の引き出し方向を基準として、後下がりに傾斜しており、その壁部６３が、前後方向から見て鉛直に対し傾斜しない状態で、棒金収納庫１２（Ｃ）の引き出し方向を基準として、後上がりに傾斜している。つまり、端数収納用の棒金トレイ５０は、その底部６４が後側（奥側）ほど下側に位置するように傾斜しており、その壁部６３が後側（奥側）ほど上側に位置するように傾斜している。傾斜支持部１０１に支持された棒金トレイ５０は、底部６４が水平に対し４５度より小さい角度（例えば３０度）をなすように傾斜している。傾斜支持部１０１に支持された棒金トレイ５０は、底部６４の最深面７８および係合部８０の上面８１が、前後方向から見て水平に対し傾斜しない状態で後下がりに傾斜しており、その壁部６３の囲壁面６２が、前後方向から見て鉛直に対し傾斜しない状態で後上がりに傾斜している。
【００５５】
このように支持ベース４０の傾斜支持部１０１に取り付けられた棒金トレイ５０の棒金収納凹部６１に空の状態から１本目の棒金Ｂを収納する場合、例えば、最も後側（下側）の１本収納領域６７の係合部８０に、この係合部８０を加締部Ｋで覆うようにして１本目の棒金Ｂを載置させながら、この１本目の棒金Ｂの外周面を、その下側にある壁部６３の最も後側（下側）の湾曲壁面６２ａに支持させる。すると、この１本目の棒金Ｂは、この最も後側の湾曲壁面６２ａに立てかけられた状態となり、底部６４に対し垂直状をなして立ち上がる姿勢で、最も後側の１本収納領域６７の係合部８０に、その上面８１に最下の硬貨Ｃを接触させて載置される。
【００５６】
次に、２本目の棒金Ｂを収納する場合、後から２番目の１本収納領域６７の係合部８０に、この係合部８０を加締部Ｋで覆うようにして２本目の棒金Ｂを載置させながら、この２本目の棒金Ｂの外周面を、その下側にある壁部６３の後から２番目の湾曲壁面６２ａと、１本目の棒金Ｂの外周面とに支持させる。すると、この２本目の棒金Ｂは、これら湾曲壁面６２ａおよび１本目の棒金Ｂに立てかけられた状態となり、底部６４に対し垂直状をなして立ち上がる姿勢で、後から２番目の１本収納領域６７の係合部８０に、その上面８１に最下の硬貨Ｃを接触させて載置される。
【００５７】
次に、３本目の棒金Ｂを収納する場合、後から３番目の１本収納領域６７の係合部８０に、この係合部８０を加締部Ｋで覆うようにして３本目の棒金Ｂを載置させながら、この３本目の棒金Ｂの外周面を、その右側にある平坦壁面６２ｂと、その下側にある１本目および２本目の棒金Ｂの外周面とに支持させる。すると、この３本目の棒金Ｂは、これら平坦壁面６２ｂおよび１本目、２本目の棒金Ｂに立てかけられた状態となり、底部６４に対し垂直状をなして立ち上がる姿勢で、後から３番目の１本収納領域６７の係合部８０に、その上面８１に最下の硬貨Ｃを接触させて載置される。
【００５８】
次に、４本目の棒金Ｂを収納する場合、後から４番目の１本収納領域６７の係合部８０に、この係合部８０を加締部Ｋで覆うようにして４本目の棒金Ｂを載置させながら、この４本目の棒金Ｂの外周面を、その左側にある平坦壁面６２ｃと、その下側にある２本目および３本目の棒金Ｂの外周面とに支持させる。すると、この４本目の棒金Ｂは、平坦壁面６２ｃおよび２本目、３本目の棒金Ｂに立てかけられた状態となり、底部６４に対し垂直状をなして立ち上がる姿勢で、後から４番目の１本収納領域６７の係合部８０に、その上面８１に最下の硬貨Ｃを接触させて載置される。
【００５９】
最も前側の端数収納用の１つの棒金トレイ５０の２カ所の棒金収納凹部６１の一方または両方に満杯に棒金Ｂを収納しても良い。この場合、上記４本目の棒金Ｂの次に、５本目の棒金Ｂを収納することになる。この場合、後から５番目の１本収納領域６７の係合部８０に、この係合部８０を加締部Ｋで覆うようにして５本目の棒金Ｂを載置させながら、この５本目の棒金Ｂの外周面を、その右側にある平坦壁面６２ｂと、その下側にある３本目および４本目の棒金Ｂの外周面とに支持させる。すると、この５本目の棒金Ｂは、平坦壁面６２ｂおよび３本目、４本目の棒金Ｂに立てかけられた状態となり、底部６４に対し垂直状をなして立ち上がる姿勢で、後から５番目の１本収納領域６７の係合部８０に、その上面８１に最下の硬貨Ｃを接触させて載置される。
【００６０】
なお、以上では、端数収納用の棒金トレイ５０の棒金収納凹部６１に、１本目ずつ棒金Ｂを収納する場合を例にとり説明したが、複数本の棒金Ｂを纏めて収納することも勿論可能である。例えば、空の状態から２本の棒金Ｂを纏めて収納する場合、最も後側の１本収納領域６７の係合部８０と後から２番目の１本収納領域６７の係合部８０とに２本の棒金Ｂを載置させながら、後側の棒金Ｂの外周面を最も後側の湾曲壁面６２ａに支持させるとともに、前側の棒金Ｂの外周面を後から２番目の湾曲壁面６２ａに支持させる。
【００６１】
以上により、傾斜支持部１０１に取り付けられた端数収納用の棒金トレイ５０の棒金収納凹部６１は、その底部６４に対し垂直状をなして立ち上がる姿勢で棒金Ｂを収納することになり、言い換えれば、その壁部６３の底部６４からの延出方向に沿う姿勢で棒金Ｂを収納することになる。端数収納用の棒金トレイ５０は、底部６４が後下がりに傾斜していることから、棒金Ｂを底部６４から後上がりに延出する姿勢で収納させる。
【００６２】
傾斜支持部１０１に取り付けられた端数収納用の棒金トレイ５０の棒金収納凹部６１から棒金Ｂを取り出す場合は、上記とは逆に、棒金収納凹部６１内の前側の棒金Ｂから順に１本ないし複数本取り出すことになる。これにより、棒金収納凹部６１内の残りの棒金Ｂの転倒を抑制しつつ棒金Ｂを取り出すことができる。つまり、後側の棒金Ｂを前側の棒金Ｂよりも先に取り出すと、前側の棒金Ｂを下側で支持する棒金Ｂがなくなることになってこの棒金Ｂが転倒してしまう場合がある。
【００６３】
支持ベース４０は、各列の最も前側を除く満杯収納用の棒金トレイ５０を支持する水平支持部１０２が水平に配置されており、この水平支持部１０２に棒金トレイ５０の基板部６０が固定されている。その際に、傾斜支持部１０１に取り付けられる場合とは異なり、一対の棒金収納凹部６１の配列方向が前後方向となる姿勢で、棒金トレイ５０が水平支持部１０２に取り付けられている。よって、水平支持部１０２に取り付けられた棒金トレイ５０は、一対の棒金収納凹部６１のそれぞれの３本収納領域７１および２本収納領域７２が、前後方向つまり収納庫１２の引き出し方向に直交する方向に延在している。つまり、水平支持部１０２に取り付けられた棒金トレイ５０の２カ所の棒金収納凹部６１のそれぞれの３本収納領域７１および２本収納領域７２は、それぞれの棒金配列方向を、収納庫１２の引き出し方向に対し直交させている。ここで、図３では、このような姿勢で水平支持部１０２に取り付けられる満杯収納用の棒金トレイ５０の図５のＹ−Ｙ断面を示している。
【００６４】
水平支持部１０２に取り付けられた状態の棒金トレイ５０の棒金収納凹部６１は、底部６４が水平に配置されており、その壁部６３が鉛直に配置されている。水平支持部１０２に支持された満杯収納用の棒金トレイ５０の棒金収納凹部６１は、底部６４の最深面７８および係合部８０の上面８１が水平に配置されており、その壁部６３の囲壁面６２が鉛直に配置されている。
【００６５】
水平支持部１０２に取り付けられた状態の１つの棒金トレイ５０の前後２カ所の棒金収納凹部６１は、いずれも棒金収納庫１２（Ｃ）の引き出しの方向の奥側に２本収納領域７２が、手前側に３本収納領域７１が配置されている。その結果、１つの棒金トレイ５０の前後２カ所の棒金収納凹部６１は、３本収納領域７１と２本収納領域７２との並び順を互いに合わせて並列に配列されている。棒金収納庫１２（Ｃ）に設けられる満杯収納用のすべての棒金トレイ５０は、それぞれの１カ所の棒金収納凹部６１において、後側つまり引き出しの方向の奥側に２本収納領域７２が、前側つまり引き出しの方向の手前側に３本収納領域７１が配置されており、それぞれの２カ所の棒金収納凹部６１において、２本収納領域７２と３本収納領域７１との並び順を互いに合わせて並列に配列されている。棒金収納庫１２（Ｃ）に設けられる、満杯収納用のすべての棒金トレイ５０の３本収納領域７１および２本収納領域７２は、前後方向つまり収納庫１２の引き出し方向に直交する方向に延在している。
【００６６】
水平支持部１０２に取り付けられた状態の１つの棒金トレイ５０に対して、棒金収納凹部６１に満杯に収納された状態の棒金Ｂは、底部６４に対し垂直状をなして立ち上がる姿勢となり、棒金収納凹部６１の壁部６３および他の棒金Ｂで支持されて中心軸線を鉛直配置した鉛直立位状態に維持される。
【００６７】
このように支持ベース４０の水平支持部１０２に取り付けられた棒金トレイ５０の棒金収納凹部６１に棒金Ｂを収納する場合、５本の棒金Ｂを例えばそれぞれ一本ずつ各係合部８０に、係合部８０を加締部Ｋで覆うようにして載置させる。棒金収納凹部６１に５本の棒金Ｂが各係合部８０に載置されると、各棒金Ｂはその周囲にある壁部６３の湾曲壁面６２ａ、平坦壁面６２ｂ，６２ｃおよび他の棒金Ｂの外周面のうちのいずれかに接触して倒れが規制された状態で、対応する係合部８０に、その上面８１に最下の硬貨Ｃを接触させて載置される。
【００６８】
以上により、満杯収納用の棒金収納凹部６１も、その底部６４に対し垂直状をなして立ち上がる姿勢で棒金Ｂを収納することになり、言い換えれば、その壁部６３の底部６４からの延出方向に沿う姿勢で棒金Ｂを収納することになる。満杯収納用の棒金トレイ５０は、壁部６３が底部６４から鉛直上方に延出していることから、棒金Ｂを壁部６３および他の棒金Ｂのいずれかで支持して鉛直に沿う姿勢、つまり中心軸線を上下方向に沿わせた鉛直状の立位姿勢で収納させる。
【００６９】
各棒金トレイ５０に収納すべき設定金種を示す収納金種データは、予め設定されて記憶部２６に記憶されている。
【００７０】
装置本体１１には、収納庫１２が装置本体１１に最も押し込まれた後端位置である全閉位置にあることを検出する図２に示す全閉検出センサ９０が収納庫１２のそれぞれに対して設けられている。装置本体１１には、収納庫１２が装置本体１１から引き出された開状態にあることを検出する開検出センサ９１が収納庫１２のそれぞれに対して設けられている。
【００７１】
加えて、装置本体１１には、収納庫１２を個別に全閉位置でロックするロック機構２２が設けられている。ロック機構２２は、制御部２５から出力される開指令信号で開状態となる。制御部２５は、開状態とした収納庫１２が装置本体１１から引き出されたことが開検出センサ９１で検出されると、開指令信号を停止させることになり、この状態でロック機構２２は、収納庫１２が全閉位置に戻されると、収納庫１２を引き出し不可に自動的かつ機械的にロックする。制御部２５は、一の収納庫１２が装置本体１１から引き出されたことが開検出センサ９１で検出された後、この一の収納庫１２が全閉位置に戻されたことが全閉検出センサ９０で検出されると、この一の収納庫１２に収納された棒金Ｂの金種別の数を全ての棒金検出センサ８２の検出結果から把握する。
【００７２】
制御部２５は、棒金検出センサ８２が検出したデータが、記憶部２６に記憶された１円硬貨の棒金Ｂの判定範囲内にあれば、この棒金検出センサ８２が設けられた係合部８０に１円硬貨の棒金Ｂが載置されていると判定する。同様にして、制御部２５は、各係合部８０への１円硬貨の棒金Ｂ、５円硬貨の棒金Ｂ、１０円硬貨の棒金Ｂ、５０円硬貨の棒金Ｂ、１００円硬貨の棒金Ｂ、５００円硬貨の棒金Ｂの載置を判定する。他方、制御部２５は、棒金検出センサ８２が検出したデータが、いずれの金種の棒金Ｂの判定範囲内にもなければ、係合部８０に棒金Ｂが載置されていないと判定する。
【００７３】
また、制御部２５は、各棒金トレイ５０に収納すべき設定金種以外の棒金Ｂが収納されている誤収納を検出する。つまり、すべての棒金検出センサ８２について検出されるべき棒金の金種データ、つまり棒金検出センサ８２が設けられた係合部８０の載置対象棒金の金種データが、予め記憶部２６に記憶されており、制御部２５は、このデータと各棒金トレイ５０の各棒金検出センサ８２の検出結果とを比較する。そして、制御部２５は、棒金検出センサ８２で検出されるべき金種の棒金Ｂが棒金検出センサ８２で検出されれば、収納が適正であると判定し、棒金検出センサ８２で検出されるべき金種の棒金Ｂとは異なる金種の棒金Ｂが棒金検出センサ８２で検出されれば、収納が適正でない誤収納であると判定する。例えば、検出されるべき棒金Ｂの金種が１００円硬貨であると記憶部２６の記憶内容から把握した係合部８０に、棒金検出センサ８２の検出結果から１０円硬貨の棒金Ｂが載置されていることを検出すると、誤収納とする。この場合、制御部２５は、誤収納の内容（棒金Ｂが誤収納されている係合部８０の位置情報と、誤収納の金種と、適正な金種とを含む内容）を表示部１７に表示させる等して操作者に報知する。
【００７４】
以上に述べた第１実施形態に係る現金管理装置１０によれば、端数収納用の棒金トレイ５０には、１つに対して、棒金Ｂを底部６４に垂直状をなす姿勢で１カ所に５本収納可能な棒金収納凹部６１が２カ所並列に配列されて設けられている。これら２カ所の棒金収納凹部６１は、それぞれが、棒金Ｂを２本並べて収納する２本収納領域７２と、２本収納領域７２と平行であって棒金Ｂを１列に並べて３本収納する３本収納領域７１と、を有するとともに、これら２本収納領域７２および３本収納領域７１が棒金配列方向の中央位置を合わせている。そして、２カ所の棒金収納凹部６１が、それぞれの底部６４を、２本収納領域７２および３本収納領域７１のそれぞれの棒金配列方向一側が他側に対し低くなるように水平に対し傾斜させている。このように底部６４を水平に対し傾斜させている棒金収納凹部６１には、満杯に棒金Ｂを収納しない端数収納状態でも、棒金Ｂは、底部６４の傾斜の下側に位置する壁部６３あるいは他の棒金Ｂに当接して立てかけられた状態となり、底部６４の傾斜の上側への倒れが抑制される。よって、棒金収納凹部６１の中間位置に棒金Ｂの倒れを抑制する部品を設けなくても棒金Ｂの倒れを抑制することができる。したがって、コストを低減することが可能となる。
【００７５】
また、端数収納用の棒金トレイ５０の底部６４が傾斜状態にある棒金収納凹部６１と、満杯収納用の棒金トレイ５０の底部６４が水平状態にある棒金収納凹部６１とに棒金を５本収納する際には、棒金収納凹部６１が、棒金Ｂを２本並べて収納する２本収納領域７２と、２本収納領域７２と平行であって棒金Ｂを１列に並べて３本収納する３本収納領域７１と、を有するとともに、これら２本収納領域７２および３本収納領域７１が棒金配列方向の中央位置を合わせていることから、係員は、両手で５本の棒金Ｂを纏めて掴んで出し入れする際の棒金群の形状が掴み易い形状となり、よって、棒金Ｂの出し入れ作業が容易化可能となる。
【００７６】
特に、満杯収納用の棒金トレイ５０に対して、係員は、両手で５本の棒金Ｂを纏めて掴んで出し入れする作業を各棒金収納凹部６１に対して１回ずつ合計２回行うことで、棒金Ｂを１０本出し入れすることができる。したがって、作業効率の低下を抑制しつつ棒金Ｂの出し入れ作業を容易化可能となる。しかも、２カ所の棒金収納凹部６１は、３本収納領域７１と２本収納領域７２との並び順を互いに合わせて並列に配列されている。このため、２カ所の棒金収納凹部６１に対して、それぞれ５本の棒金Ｂを纏めて掴んで出し入れする際の棒金群の形状を合わせることができる。よって、棒金Ｂの出し入れ作業がさらに容易化可能となる。
【００７７】
つまり、満杯収納用の棒金トレイ５０に対して、１カ所に棒金Ｂを１０本収納可能な棒金収納凹部の場合、１０本の棒金を両手で掴んで出し入れすることになるが、１０本の棒金を両手で持つと言っても、５００円棒金１０本となると、３．５Ｋｇもあり、女性の係員にとっては容易な作業ではない。しかも、棒金収納凹部は、棒金１０本がちょうど入る形状となっているので、棒金群の形状を合わせる必要があり、特に挿入が困難となってしまう。これに対して、本実施形態では、満杯収納用の棒金トレイ５０が、１カ所に５本収納可能な棒金収納凹部６１を２カ所設ける構成としたため、一度に掴む棒金の数が５本と少なくなり、棒金Ｂの出し入れ作業が容易化可能となる。また、満杯収納用の棒金トレイ５０の２カ所の棒金収納凹部６１は、それぞれ、３本収納領域７１および２本収納領域７２の棒金配列方向を、棒金収納庫１２（Ｃ）の引き出しの方向に対し直交させている。しかも、棒金収納庫１２（Ｃ）の引き出しの方向の奥側に２本収納領域７２が、手前側に３本収納領域７１が配置されている。よって、作業者側から見て、手前に３本収納領域７１、奥側に２本収納領域７２が配置されていることになる。このため、５本の棒金Ｂが掴みやすい形状となり、女性にとって使いやすい形状となる。すなわち、両手の親指で３本収納領域７１に出し入れされる３本の１列状の棒金Ｂを支え、両手の残りの指で、奥側の２本収納領域７２に出し入れされる２本の棒金Ｂを支えることができるため、持ち易くなる。
【００７８】
また、端数収納用の棒金トレイ５０の２カ所の棒金収納凹部６１は、２本収納領域７２および３本収納領域７１のそれぞれの棒金配列方向を、棒金収納庫１２（Ｃ）の装置本体１１からの引き出しの方向に沿わせている。このため、棒金収納凹部６１に立てかけられて収納され、立てかけの方向とは反対方向に倒れにくい状態の棒金Ｂは、棒金収納庫１２（Ｃ）の引き出しの方向に傾斜することになり、棒金収納庫１２（Ｃ）の引き出しの開始および停止の影響による倒れが抑制される。
【００７９】
また、棒金収納凹部６１の底部６４には、棒金Ｂの下端部の加締部Ｋに係合する係合部８０が、３本収納領域７１に３カ所、２本収納領域７２に２カ所、それぞれ設けられているため、棒金Ｂの下端の加締部Ｋを係合部８０に係合させることで、収納庫１２の引き出し時および押し込み時に、収納状態にある棒金Ｂのガタツキを抑制することができる。
【００８０】
また、各係合部８０に係合された棒金Ｂの有無および金種を各係合部８０に埋設された棒金検出センサ８２で個別に検出することができる。よって、現金管理装置１０内に収納された棒金Ｂの金種別の収納数を計数して管理することができる。
【００８１】
また、棒金収納凹部６１が、３本収納領域７１および２本収納領域７２のそれぞれの棒金配列方向の両外側に湾曲壁面６２ａを有する形状をなしているため、これら湾曲壁面６２ａで四隅の棒金Ｂを案内することができる。よって、５本の棒金Ｂを纏めて正確に棒金収納凹部６１に挿入することが可能となる。
【００８２】
また、１つの棒金収納庫１２（Ｃ）に設けられる収納対象金種が同一金種である複数の棒金トレイ５０のうち、前端の棒金トレイ５０の２カ所の棒金収納凹部６１が底部６４を水平に対し傾斜させており、前端以外の棒金トレイ５０が底部６４を水平に配置しているため、底部６４を水平に対し傾斜させている棒金収納凹部６１を満杯状態にならない端数の棒金Ｂの収納用とし、底部６４を水平に配置している棒金収納凹部６１を満杯状態の棒金Ｂの収納用とすることができる。これにより、棒金収納凹部６１を満杯状態にできない端数の棒金Ｂの倒れを抑制しつつ、満杯状態の棒金Ｂをまとめて取り出す作業の作業性を向上させることができる。
【００８３】
また、同一金種用であれば、２カ所の棒金収納凹部６１の底部６４を水平に対し傾斜させている棒金トレイ５０と、２カ所の棒金収納凹部６１の底部６４を水平に配置している棒金トレイ５０とが、共通部品となっているため、部品の製造コストおよび管理コストを低減することが可能になる。
【００８４】
また、底部６４を水平に対し傾斜させている棒金収納凹部６１は、底部６４を、引き出し方向後側（奥側）ほど下側に位置する後下がりに傾斜させているため、棒金Ｂは、棒金収納庫１２（Ｃ）の引き出し方向の後側（奥側）へ寄せられて収納されることになる。よって、棒金収納庫１２（Ｃ）の引き出し方向の前側にある棒金Ｂから取り出せば残りの棒金Ｂを倒さずに棒金Ｂを取り出すことができる。したがって、棒金Ｂを円滑に取り出すことができ、使い勝手性が向上する。
【００８５】
なお、第１実施形態においては、１つの棒金収納庫１２（Ｃ）に設けられる収納対象金種が同一金種である複数の棒金トレイ５０のうち、前端の１つの棒金トレイ５０の棒金収納凹部６１が底部６４を水平に対し傾斜させており、残りの複数の他の棒金トレイ５０の棒金収納凹部６１が底部６４を水平に配置している場合を例にとり説明した。しかしながら、これら棒金トレイ５０のうち、少なくとも１つが棒金収納凹部６１の底部６４を水平に対し傾斜させており、少なくとも他の１つが棒金収納凹部６１の底部６４を水平に配置していれば、それぞれの数は適宜設定することができる。例えば、同一金種用の前端から複数カ所の棒金トレイ５０について棒金収納凹部６１の底部６４を水平に対し傾斜させ、残りの棒金トレイ５０について棒金収納凹部６１の底部６４を水平に配置しても良い。また、複数列が同一金種用である場合には、１列の前端の棒金トレイ５０のみ、端数収納用として棒金収納凹部６１の底部６４を水平に対し傾斜させ、他の列の前端の棒金トレイ５０を満杯収納用として棒金収納凹部６１の底部６４を水平に配置しても良い。さらには、すべての棒金トレイ５０の棒金収納凹部６１の底部６４を水平に対し傾斜させても良い。
【００８６】
次に、本発明の第２実施形態に係る現金管理装置を主に図６を参照して第１実施形態との相違部分を中心に以下に説明する。
【００８７】
第２実施形態において、前端の端数収納用の棒金トレイ５０は、その底部６４を水平に対して第１実施形態とは相違する方向に傾斜させて支持ベース４０Ａに取り付けられている。この端数収納用の棒金トレイ５０と共通部品が用いられる満杯収納用の棒金トレイ５０は、第１実施形態と同様、その底部６４を水平に配置して支持ベース４０Ａの第１実施形態と同様の水平支持部１０２に取り付けられている。
【００８８】
支持ベース４０Ａは、各列の最も前側の端数収納用の棒金トレイ５０を支持する傾斜支持部１０１Ａが、前後方向から見て水平に対し傾斜しない状態で、前下がりに傾斜しており、この傾斜支持部１０１Ａに棒金トレイ５０の基板部６０が固定されている。この棒金トレイ５０は、第１実施形態と同様に、一対の棒金収納凹部６１の配列方向が左右方向となる姿勢で傾斜支持部１０１に取り付けられている。その結果、最も前側の棒金トレイ５０の一対の棒金収納凹部６１は、２本収納領域７２および３本収納領域７１のそれぞれの棒金配列方向一側が他側に対し低くなるように底部６４を水平に対し傾斜させている。最も前側の棒金トレイ５０の一対の棒金収納凹部６１は、それぞれ、２本収納領域７２が３本収納領域７１の例えば左側（操作者から見て左側）に位置するように配置されている。
【００８９】
言い換えれば、最も前側の端数収納用の棒金トレイ５０の２カ所の棒金収納凹部６１のそれぞれの３本収納領域７１および２本収納領域７２は、前後方向つまり収納庫１２の引き出し方向に沿って延在している。さらに言い換えれば、端数収納用の棒金トレイ５０の２カ所の棒金収納凹部６１は、３本収納領域７１および２本収納領域７２のそれぞれの棒金配列方向を、前後方向つまり収納庫１２の引き出し方向に沿わせている。
【００９０】
傾斜支持部１０１Ａに取り付けられた状態の端数収納用の棒金トレイ５０の棒金収納凹部６１は、その底部６４が、前後方向から見て水平に対し傾斜しない状態で、棒金収納庫１２（Ｃ）の引き出し方向を基準として前下がりに傾斜しており、その壁部６３が、前後方向から見て鉛直に対し傾斜しない状態で、棒金収納庫１２（Ｃ）の引き出し方向を基準として前上がりに傾斜している。つまり、端数収納用の棒金トレイ５０は、その底部６４が前側ほど下側に位置するように傾斜しており、その壁部６３が前側ほど上側に位置するように傾斜している。傾斜支持部１０１Ａに支持された棒金トレイ５０は、底部６４が水平に対し４５度より小さい角度（例えば３０度）をなすように傾斜している。傾斜支持部１０１Ａに支持された端数収納用の棒金トレイ５０は、底部６４の最深面７８および係合部８０の上面８１が、前後方向から見て水平に対し傾斜しない状態で前下がりに傾斜しており、その壁部６３の囲壁面６２が、前後方向から見て鉛直に対し傾斜しない状態で前上がりに傾斜している。
【００９１】
このように傾斜支持部１０１Ａに取り付けられた棒金トレイ５０の棒金収納凹部６１に棒金Ｂを収納する場合、第１実施形態と同様に下側にある係合部８０から順に載置させる。ここで、第２実施形態の傾斜支持部１０１Ａに取り付けられた棒金トレイ５０は、底部６４が前下がりに傾斜しており、第１実施形態の傾斜支持部１０１に取り付けられた棒金トレイ５０は、底部６４が逆に後下がりに傾斜している。よって、第２実施形態において、第１実施形態と同様に下側にある係合部８０から順に棒金Ｂを載置させると、第１実施形態とは前後が逆になる。つまり、第２実施形態では、端数収納用の棒金トレイ５０の棒金収納凹部６１に棒金Ｂを収納する場合、最も前側の１本収納領域６７の係合部８０から順に棒金Ｂを載置させることになる。傾斜支持部１０１Ａに取り付けられた端数収納用の棒金トレイ５０は、底部６４が前下がりに傾斜していることから、棒金Ｂを底部６４から前上がりに延出する姿勢で収納させる。
【００９２】
傾斜支持部１０１Ａに取り付けられた棒金トレイ５０の棒金収納凹部６１から棒金Ｂを取り出す場合は、棒金収納凹部６１内の後側の棒金Ｂから順に取り出すことになる。これにより、棒金収納凹部６１内の残りの棒金Ｂの転倒を抑制しつつ棒金Ｂを取り出すことができる。
【００９３】
以上に述べた第２実施形態に係る現金管理装置１０によれば、端数収納用の棒金収納凹部６１は、底部６４を前下がりに傾斜させているため、すべての棒金Ｂの上面が前方から目視可能となる。よって、棒金Ｂの収納数の前方からの目視確認が容易となる。したがって、使い勝手性が向上する。
【００９４】
次に、本発明の第３実施形態に係る現金管理装置を主に図７を参照して第１実施形態との相違部分を中心に以下に説明する。
【００９５】
第３実施形態において、端数収納用の棒金トレイ５０は、その底部６４を水平に対して第１実施形態とは相違する方向に傾斜させて支持ベース４０Ｂに取り付けられている。この端数収納用の棒金トレイ５０と共通部品が用いられる満杯収納用の棒金トレイ５０は、図６においては図示を略すが、その底部６４を水平に配置して支持ベース４０Ｂに取り付けられている。
【００９６】
支持ベース４０Ｂは、左右方向左側の列の最も前側の端数収納用の棒金トレイ５０を支持する傾斜支持部１０１Ｂが、左右方向から見て水平に対し傾斜しない状態で、前方から見て左下がりに傾斜しており、左右方向右側の列の最も前側の端数収納用の棒金トレイ５０を支持する傾斜支持部１０３Ｂが、左右方向から見て水平に対し傾斜しない状態で前方から見て右下がりに傾斜している。そして、これらの傾斜支持部１０１Ｂおよび傾斜支持部１０３Ｂにそれぞれ共通部品である棒金トレイ５０が基板部６０において固定されている。
【００９７】
ここで、棒金トレイ５０は、傾斜支持部１０１Ｂ，１０３Ｂのいずれに取り付けられる場合も、第１実施形態とは異なり、一対の棒金収納凹部６１の配列方向が前後方向となる姿勢で、取り付けられている。よって、傾斜支持部１０１Ｂ，１０３Ｂのいずれに取り付けられる場合も、棒金トレイ５０は、一対の棒金収納凹部６１のそれぞれの３本収納領域７１および２本収納領域７２が、前後方向つまり収納庫１２の引き出し方向に直交する方向に延在している。つまり、傾斜支持部１０１Ｂ，１０３Ｂのいずれに取り付けられる場合も、棒金トレイ５０の２カ所の棒金収納凹部６１のそれぞれの３本収納領域７１および２本収納領域７２は、それぞれの棒金配列方向を、収納庫１２の引き出し方向に直交させている。しかも、満杯収納用の棒金トレイ５０と同様に、一対の棒金収納凹部６１は、それぞれ、引き出しの方向の奥側に２本収納領域７２が、手前側に３本収納領域７１が配置されている。ここで、図７では、このような姿勢で傾斜支持部１０１Ｂ，１０３Ｂに取り付けられる端数収納用の棒金トレイ５０の図５のＸ−Ｘ断面を示している。
【００９８】
傾斜支持部１０１Ｂに取り付けられた状態の端数収納用の棒金トレイ５０の棒金収納凹部６１は、その底部６４が、左右方向から見て水平に対し傾斜しない状態で、棒金収納庫１２（Ｃ）の引き出し方向の前方から見て左下がりに傾斜しており、その壁部６３が左右方向から見て鉛直に対し傾斜しない状態で、棒金収納庫１２（Ｃ）の引き出し方向の前方から見て左上がりに傾斜している。つまり、傾斜支持部１０１Ｂに取り付けられた棒金トレイ５０は、その底部６４が左側ほど下側に位置するように傾斜しており、その壁部６３が左側ほど上側に位置するように傾斜している。傾斜支持部１０１Ｂに支持された棒金トレイ５０は、底部６４が水平に対し４５度より小さい角度（例えば３０度）をなすように傾斜している。傾斜支持部１０１Ｂに支持された棒金トレイ５０は、底部６４の最深面７８および係合部８０の上面８１が、左右方向から見て水平に対し傾斜しない状態で、前方から見て左下がりに傾斜しており、その壁部６３の囲壁面６２が、左右方向から見て鉛直に対し傾斜しない状態で、前方から見て左上がりに傾斜している。
【００９９】
このように傾斜支持部１０１Ｂに取り付けられた棒金トレイ５０の棒金収納凹部６１に棒金Ｂを収納する場合、第１実施形態と同様に下側にある係合部８０から順に載置させる。ここで、第３実施形態の傾斜支持部１０１Ｂに取り付けられた棒金トレイ５０の棒金収納凹部６１は、底部６４が左下がりに傾斜している。よって、第３実施形態において、第１実施形態と同様に下側にある係合部８０から順に棒金Ｂを載置させると、傾斜支持部１０１Ｂに取り付けられた棒金トレイ５０の棒金収納凹部６１には、最も左側の１本収納領域６７の係合部８０から順に棒金Ｂを載置させることになる。傾斜支持部１０１Ｂに取り付けられた棒金トレイ５０の棒金収納凹部６１は、底部６４が左下がりに傾斜していることから、底部６４に垂直状をなす棒金Ｂを底部６４から左上がりに延出する姿勢で収納させる。
【０１００】
傾斜支持部１０１Ｂに取り付けられた棒金トレイ５０の棒金収納凹部６１から棒金Ｂを取り出す場合は、棒金収納凹部６１内の右側の棒金Ｂから順に取り出すことになる。これにより、棒金収納凹部６１内の残りの棒金Ｂの転倒を抑制しつつ棒金Ｂを取り出すことができる。
【０１０１】
傾斜支持部１０３Ｂに取り付けられた状態の端数収納用の棒金トレイ５０の棒金収納凹部６１は、その底部６４が、左右方向から見て水平に対し傾斜しない状態で、棒金収納庫１２（Ｃ）の引き出し方向の前方から見て右下がりに傾斜しており、その壁部６３が左右方向から見て鉛直に対し傾斜しない状態で、棒金収納庫１２（Ｃ）の引き出し方向の前方から見て右上がりに傾斜している。つまり、傾斜支持部１０３Ｂに取り付けられた棒金トレイ５０の棒金収納凹部６１は、その底部６４が右側ほど下側に位置するように傾斜しており、その壁部６３が右側ほど上側に位置するように傾斜している。傾斜支持部１０３Ｂに支持された棒金トレイ５０は、底部６４が水平に対し４５度より小さい角度（例えば３０度）をなすように傾斜している。傾斜支持部１０３Ｂに支持された棒金トレイ５０の棒金収納凹部６１は、底部６４の最深面７８および係合部８０の上面８１が、左右方向から見て水平に対し傾斜しない状態で、前方から見て右下がりに傾斜しており、その壁部６３の囲壁面６２が、左右方向から見て鉛直に対し傾斜しない状態で、前方から見て右上がりに傾斜している。
【０１０２】
このように傾斜支持部１０３Ｂに取り付けられた棒金トレイ５０の棒金収納凹部６１に棒金Ｂを収納する場合、第１実施形態と同様に下側にある１本収納領域６７の係合部８０から順に載置させる。ここで、第３実施形態の傾斜支持部１０３Ｂに取り付けられた棒金トレイ５０の棒金収納凹部６１は、底部６４が右下がりに傾斜している。よって、第３実施形態において、第１実施形態と同様に下側にある係合部８０から順に載置させると、最も右側の１本収納領域６７の係合部８０から順に棒金Ｂを載置させることになる。傾斜支持部１０３Ｂに取り付けられた棒金トレイ５０の棒金収納凹部６１は、底部６４が右下がりに傾斜していることから、底部６４に垂直状をなす棒金Ｂを底部６４から右上がりに延出する姿勢で収納させる。
【０１０３】
傾斜支持部１０３Ｂに取り付けられた棒金トレイ５０の棒金収納凹部６１から棒金Ｂを取り出す場合は、棒金収納凹部６１内の左側の棒金Ｂから順に取り出すことになる。これにより、棒金収納凹部６１内の残りの棒金Ｂの転倒を抑制しつつ棒金Ｂを取り出すことができる。
【０１０４】
以上に述べた第３実施形態に係る現金管理装置１０によれば、端数収納用の棒金トレイ５０の２カ所の棒金収納凹部６１は、満杯収納用の棒金トレイ５０と同様に、それぞれ、３本収納領域７１および２本収納領域７２の棒金配列方向を、棒金収納庫１２（Ｃ）の引き出しの方向に対し直交させている。このため、不慣れな係員でも、５本の棒金Ｂを両手で纏めて掴んで棒金収納凹部６１に挿入する際に戸惑うことなく円滑に挿入可能となる。
【０１０５】
また、端数収納用の棒金トレイ５０の２カ所の棒金収納凹部６１は、満杯収納用の棒金トレイ５０と同様に、それぞれ、棒金収納庫１２（Ｃ）の引き出しの方向の奥側に２本収納領域７２が、手前側に３本収納領域７１が配置されているため、５本の棒金Ｂからなる棒金群を、両手で棒金収納凹部６１に合わせた形状にしつつ掴む際に掴み易く、よって、５本の棒金Ｂを両手で掴んで棒金収納凹部に対し出し入れする作業がさらに容易化可能となる。
【０１０６】
また、左側の傾斜支持部１０１Ｂに取り付けられた端数収納用の棒金トレイ５０の棒金収納凹部６１は、棒金収納庫１２（Ｃ）の引き出し方向の前方から見て底部６４を左下がりに傾斜させているため、すべての棒金Ｂの上面が左方から目視可能となる。よって、左方からの棒金Ｂの収納数の目視確認が容易となる。したがって、左側にいる操作者の使い勝手性が向上する。
【０１０７】
また、右側の傾斜支持部１０３Ｂに取り付けられた端数収納用の棒金トレイ５０の棒金収納凹部６１は、棒金収納庫１２（Ｃ）の引き出し方向の前方から見て底部６４を右下がりに傾斜させているため、すべての棒金Ｂの上面が右方から目視可能となる。よって、右方からの棒金Ｂの収納数の目視確認が容易となる。したがって、右側にいる操作者の使い勝手性が向上する。
【０１０８】
つまり、第３実施形態に係る現金管理装置１０は、左側の傾斜支持部１０１Ｂに取り付けられた棒金トレイ５０の棒金収納凹部６１と、右側の傾斜支持部１０３Ｂに取り付けられた棒金トレイ５０の棒金収納凹部６１とに、例えば同一金種の棒金Ｂを収納する設定とすれば、これを左右両側で操作者が操作する可能性が高い場合に使い勝手性が向上する。
【０１０９】
なお、第３実施形態においては、左右両側の端数収納用の棒金トレイ５０のそれぞれの底部６４を左下がりに傾斜させても良く、逆に、左右両側の端数収納用の棒金トレイ５０のそれぞれの底部６４を右下がりに傾斜させても良い。また、端数収納用の棒金トレイ５０を一つのみ設けて底部６４を左下がりに傾斜させても良く、端数収納用の棒金トレイ５０を一つのみ設けて底部６４を右下がりに傾斜させても良い。
【０１１０】
また、第１〜第３実施形態においては、収納対象金種が同一金種である場合、形状および大きさが同じ共通部品の棒金トレイ５０が端数収納用と満杯収納用とに用いられる場合を例にとり説明したが、端数収納用の棒金トレイと満杯収納用の棒金トレイとが異なっていても良い。
【０１１１】
また、第１〜第３実施形態において、水平に対し傾斜する底部６４の角度は、上記に限らず、任意に設定することができる。
【０１１２】
また、第１〜第３実施形態を適宜組み合わせても良い。つまり、１つの棒金収納庫１２（Ｃ）に、底部６４を後下がりに傾斜させている棒金収納凹部６１と、底部６４を前下がりに傾斜させている棒金収納凹部６１と、底部６４を左下がりに傾斜させている棒金収納凹部６１と、底部６４を右下がりに傾斜させている棒金収納凹部６１との中から、適宜のものを選択して複数組み合わせて設けることが可能である。
【符号の説明】
【０１１３】
１０  現金管理装置
１１  装置本体
１２（Ｃ）  棒金収納庫（収納庫）
５０  棒金トレイ
６１  棒金収納凹部
６２ａ  湾曲壁面
６２ｂ  平坦壁面
６２ｃ  平坦壁面
６３  壁部
６４  底部
７１  ３本収納領域
７２  ２本収納領域
８０  係合部
８２  棒金検出センサ
Ｂ  棒金
【図１】
2017010197.tif 000003
【図２】
2017010197.tif 000004
【図３】
2017010197.tif 000005
【図４】
2017010197.tif 000006
【図５】
2017010197.tif 000007
【図６】
2017010197.tif 000008
【図７】
2017010197.tif 000009